(57)【要約】      （修正有）【課題】振動マッサージだけでなく揺動マッサージも実現可能であり、構造がシンプルで、痩身効果もいっそう良好となる痩身マッサージ機を提供する。【解決手段】痩身マッサージ機は、踏み台１、ベース２及び支持軸３を含み、踏み台が支持軸に装着される。支持軸は支持ベース４を介してベースに接続され、支持ベースはヒンジ軸５を介してベースに接続される。支持軸は回動可能に支持ベースに設置される。ベースには、踏み台を支持軸周りに揺動駆動する第１駆動ユニットと、支持ベースをヒンジ軸周りに揺動駆動する第２駆動ユニットが設けられる。第１駆動ユニットは第１駆動軸と第１リンクを含む。第１駆動軸は回動可能に縦方向にベースに設置され、第１リンクは立設方向に設置される。第１駆動軸は第１リンクを偏心運動させる。第２駆動ユニットは第２駆動軸と第２リンクを含む。第２駆動軸は回動可能に縦方向にベースに設置され、第２リンクは横方向に設置される。第２駆動軸は第２リンクを偏心運動させる。【選択図】図１
0003226649.tif 000002
【実用新案登録請求の範囲】
【請求項１】
踏み台、ベース及び支持軸を含み、前記支持軸が動作可能にベースに設置され、前記踏み台が支持軸に装着される痩身マッサージ機であって、
前記支持軸は支持ベースを介して前記ベースに接続され、前記支持ベースはヒンジ軸を介して前記ベースにヒンジ接続され、前記支持軸は回動可能に前記支持ベースに設置され、前記ベースには、前記踏み台を支持軸周りに揺動駆動する第１駆動ユニットと、前記支持ベースをヒンジ軸周りに揺動駆動する第２駆動ユニットが設けられ、前記第１駆動ユニットと前記第２駆動ユニットはそれぞれ前記支持軸の両側に位置し、前記第１駆動ユニットは第１駆動軸と第１リンクを含み、前記第１駆動軸は回動可能に縦方向に前記ベースに設置され、前記第１リンクは立設方向に設置され、前記第１リンクは一端が第１駆動軸にヒンジ接続され、他端が踏み台にヒンジ接続され、前記第１駆動軸は前記第１リンクを偏心運動させ、前記第２駆動ユニットは第２駆動軸と第２リンクを含み、第２駆動軸は回動可能に縦方向にベースに設置され、前記第２リンクは横方向に設置され、第２リンクは一端が第２駆動軸にヒンジ接続され、他端が踏み台にヒンジ接続され、第２駆動軸は第２リンクを偏心運動させることを特徴とする痩身マッサージ機。
【請求項２】
前記第１駆動ユニットは第１モータを更に含み、第１モータはベースに固設され、第１モータの出力軸は第１駆動軸と周方向に連動するよう接続され、前記第１駆動軸のうち第１リンク寄りの一端には第１偏心部が設けられ、第１偏心部は第１駆動軸の本体に対し偏心して設けられ、第１偏心部は第１リンクにヒンジ接続されることを特徴とする請求項１に記載の痩身マッサージ機。
【請求項３】
前記第２駆動ユニットは第２モータを更に含み、第２モータはベースに固設され、第２モータの出力軸は第２駆動軸と周方向に連動するよう接続され、前記第２駆動軸のうち第２リンク寄りの一端には第２偏心部が設けられ、第２偏心部は第２駆動軸の本体に対し偏心して設けられ、第２偏心部は第２リンクにヒンジ接続されることを特徴とする請求項１又は２に記載の痩身マッサージ機。
【請求項４】
前記第１偏心部は第１軸受を介して第１リンクに接続され、第１軸受は第１リンクの下端に装着され、第１偏心部は第１軸受内に嵌設され、前記踏み台には第１ヒンジ接続ベースが設けられ、第１リンクは第１シャフトピンを介して第１ヒンジ接続ベースに接続され、第１シャフトピンは第１ヒンジ接続ベースに挿設され、第１リンクの上端には第２軸受が装着されており、第２軸受が第１シャフトピンに覆設されることを特徴とする請求項２に記載の痩身マッサージ機。
【請求項５】
前記第２偏心部は第３軸受を介して第２リンクに接続され、第３軸受は第２リンクの下端に装着され、第２偏心部は第３軸受内に嵌設され、前記踏み台には第２ヒンジ接続ベースが設けられ、第２リンクは第２シャフトピンを介して第２ヒンジ接続ベースに接続され、第２シャフトピンは第２ヒンジ接続ベースに挿設され、第２リンクの上端には第４軸受が装着されており、第４軸受が第２シャフトピンに覆設されることを特徴とする請求項３に記載の痩身マッサージ機。
【請求項６】
前記第１モータの出力軸と第１駆動軸は互いに平行であり、前記第１モータの出力軸には第１ベルトプーリが同期回動可能に設けられており、第１駆動軸のうち第１ベルトプーリに対応する箇所には第２ベルトプーリが同期回動可能に設けられており、第１ベルトプーリと第２ベルトプーリが第１ベルトを介して伝動することを特徴とする請求項２又は４に記載の痩身マッサージ機。
【請求項７】
前記第２モータの出力軸と第２駆動軸は互いに平行であり、前記第２モータの出力軸には第３ベルトプーリが同期回動可能に設けられており、第２駆動軸のうち第３ベルトプーリに対応する箇所には第４ベルトプーリが同期回動可能に設けられており、第３ベルトプーリと第４ベルトプーリが第２ベルトを介して伝動することを特徴とする請求項３に記載の痩身マッサージ機。
【考案の詳細な説明】
【技術分野】
【０００１】
本考案はフィットネス機器の技術分野に関し、特に、痩身マッサージ機に関する。
【背景技術】
【０００２】
痩身マシンは常用されるフィットネスマッサージ器具である。痩身マシンは、部分的な振動によって静脈や毛細リンパ管の循環に作用し、脂肪細胞の分解を活性化させることで、脂肪燃焼効果を奏するものである。また、一部の筋肉をより丈夫にし、脂肪を除去するとの目的を達成する。一般的な痩身マシンは台座と積載プレートを含み、台座に支持軸が回動可能に設けられている。積載プレートは支持軸に装着されるとともに、揺動可能に台座に設置される。台座には支持軸を回動駆動する駆動装置が設けられている。支持軸が回動することで積載プレートは支持軸周りに揺動可能となる。この場合、積載プレートの上に乗り、駆動装置が積載プレートを揺動駆動することで振動マッサージが実現される。
【０００３】
しかし、この種の痩身マシンは、積載プレートを支持軸周りに揺動駆動することでしか振動による痩身を実現できず、積載プレートと支持軸を一緒に揺動駆動することはできない。そのため、積載プレートの動作幅が十分に大きいとはいえず、痩身効果に劣る。
【考案の概要】
【考案が解決しようとする課題】
【０００４】
本考案は、従来技術の瑕疵を解消し、振動マッサージだけでなく揺動マッサージも実現可能であり、且つ、構造がシンプルで痩身効果にいっそう優れる痩身マッサージ機を提供する。
【課題を解決するための手段】
【０００５】
上記の目的を実現すべく、本考案では以下の技術手段を用いる。即ち、痩身マッサージ機であって、踏み台、ベース及び支持軸を含む。支持軸は動作可能にベースに設置され、踏み台が支持軸に装着される。前記支持軸は支持ベースを介してベースに接続され、支持ベースはヒンジ軸を介してベースにヒンジ接続される。支持軸は回動可能に支持ベースに設置される。ベースには、踏み台を支持軸周りに揺動駆動する第１駆動ユニットと、支持ベースをヒンジ軸周りに揺動駆動する第２駆動ユニットが設けられている。第１駆動ユニットと第２駆動ユニットはそれぞれ支持軸の両側に位置する。前記第１駆動ユニットは第１駆動軸と第１リンクを含む。第１駆動軸は回動可能に縦方向にベースに設置され、前記第１リンクは立設方向に設置される。第１リンクは一端が第１駆動軸にヒンジ接続され、他端が踏み台にヒンジ接続される。第１駆動軸は第１リンクを偏心運動させる。前記第２駆動ユニットは第２駆動軸と第２リンクを含む。第２駆動軸は回動可能に縦方向にベースに設置され、前記第２リンクは横方向に設置される。第２リンクは一端が第２駆動軸にヒンジ接続され、他端が踏み台にヒンジ接続される。第２駆動軸は第２リンクを偏心運動させる。
【０００６】
上記の手段によれば、立設方向とは鉛直方向であって水平面に対し垂直な方向であり、横方向及び縦方向は水平面内に位置する。また、横方向とはベースの長さ方向であり、横方向と縦方向は互いに垂直である。踏み台はベースの上方に位置する。また、支持ベースは２つ設けられ、且つ支持軸の両端に位置する。支持軸の両端は、それぞれ軸受を介して回動可能に支持ベースに設置される。また、２つの支持ベースは、それぞれヒンジ軸を介してベースにヒンジ接続される。踏み台は、支持軸に固定されるか一体的に設置される。支持軸と支持ベースは踏み台に対し一定の支持作用を発揮する。第１リンクは立設方向に設置されるため、第１駆動軸が第１リンクを偏心運動させた場合、第１リンクは上下に移動可能となる。これにより、踏み台を上下に振動させる。また、第２リンクは横方向に設置されるため、第２駆動軸が第２リンクを偏心運動させた場合、第２リンクは左右に移動可能となる。また、支持ベースはベースにヒンジ接続されるため、支持ベースと踏み台は一緒に左右に揺動可能である。第１駆動ユニットは単独で動作することで振動マッサージを実現可能であり、第２駆動ユニットは単独で動作することで揺動マッサージを実現可能である。また、第１駆動ユニットと第２駆動ユニットが同時に動作することで振動マッサージと揺動マッサージを実現可能であるが、これらは個別に制御される。左右方向はベースの長さ方向に沿って定義され、且つ支持軸の両側に位置する。本構造はシンプルであり、且つ痩身効果にいっそう優れる。
【０００７】
本考案は、更に次のように設置される。前記第１駆動ユニットは第１モータを更に含む。第１モータはベースに固設され、第１モータの出力軸は第１駆動軸と周方向に連動するよう接続される。前記第１駆動軸のうち第１リンク寄りの一端には第１偏心部が設けられている。第１偏心部は第１駆動軸の本体に対し偏心して設けられる。また、第１偏心部は第１リンクにヒンジ接続される。
【０００８】
上記の手段によれば、第１偏心部は偏心軸として設けられる。第１モータが第１駆動軸を回動駆動し、第１駆動軸が第１偏心部を偏心運動させた場合、第１偏心部は第１リンクにヒンジ接続されているため、第１リンクを上下に移動させられる。本構造はシンプルであり、且つ設計が合理的である。
【０００９】
本考案は、更に次のように設置される。前記第２駆動ユニットは第２モータを更に含む。第２モータはベースに固設され、第２モータの出力軸は第２駆動軸と周方向に連動するよう接続される。前記第２駆動軸のうち第２リンク寄りの一端には第２偏心部が設けられている。第２偏心部は第２駆動軸の本体に対し偏心して設けられる。また、第２偏心部は第２リンクにヒンジ接続される。
【００１０】
上記の手段によれば、第２偏心部は偏心軸として設けられる。第２モータが第２駆動軸を回動駆動し、第２駆動軸が第２偏心部を偏心運動させた場合、第２偏心部は第２リンクにヒンジ接続されているため、第２リンクを上下に移動させられる。本構造はシンプルであり、且つ設計が合理的である。
【００１１】
本考案は、更に次のように設置される。前記第１偏心部は第１軸受を介して第１リンクに接続される。第１軸受は第１リンクの下端に装着されており、第１偏心部は第１軸受内に嵌設される。前記踏み台には第１ヒンジ接続ベースが設けられており、第１リンクが第１シャフトピンを介して第１ヒンジ接続ベースに接続される。第１シャフトピンは第１ヒンジ接続ベースに挿設される。第１リンクの上端には第２軸受が装着されており、第２軸受が第１シャフトピンに覆設される。
【００１２】
上記の手段によれば、第１偏心部が第１リンクの第１軸受内に嵌設され、第１シャフトピンが第１リンクの第２軸受内に嵌設される。よって、第１偏心部を第１リンク内に直接嵌設する場合や、第１シャフトピンを第１リンク内に直接嵌設する場合と比較して、第１偏心部と第１シャフトピンの摩耗を軽減でき、動作もより円滑となる。
【００１３】
また、本考案は更に次のように設置される。前記第２偏心部は第３軸受を介して第２リンクに接続される。第３軸受は第２リンクの下端に装着されており、第２偏心部は第３軸受内に嵌設される。前記踏み台には第２ヒンジ接続ベースが設けられており、第２リンクが第２シャフトピンを介して第２ヒンジ接続ベースに接続される。第２シャフトピンは第２ヒンジ接続ベースに挿設される。第２リンクの上端には第４軸受が装着されており、第４軸受が第２シャフトピンに覆設される。
【００１４】
上記の手段によれば、第２偏心部が第２リンクの第３軸受内に嵌設され、第２シャフトピンが第２リンクの第４軸受内に嵌設される。よって、第２偏心部を第２リンク内に直接嵌設する場合や、第２シャフトピンを第２リンク内に直接嵌設する場合と比較して、第２偏心部と第２シャフトピンの摩耗を軽減でき、動作もより円滑となる。
【００１５】
本考案は、更に次のように設置される。前記第１モータの出力軸と第１駆動軸は互いに平行である。前記第１モータの出力軸には第１ベルトプーリが同期回動可能に設けられており、第１駆動軸のうち第１ベルトプーリに対応する箇所には第２ベルトプーリが同期回動可能に設けられている。第１ベルトプーリと第２ベルトプーリは第１ベルトを介して伝動する。
【００１６】
上記の手段によれば、第１ベルトプーリと第２ベルトプーリが第１ベルトを介して伝動する。第１ベルトプーリのプーリ径は第２ベルトプーリのプーリ径よりも小さいため、減速作用を実現可能である。また、第１モータの位置設計が合理的である。本構造はシンプルであり、伝動が安定的である。
【００１７】
また、本考案は更に次のように設置される。前記第２モータの出力軸と第２駆動軸は互いに平行である。前記第２モータの出力軸には第３ベルトプーリが同期回動可能に設けられており、第２駆動軸のうち第３ベルトプーリに対応する箇所には第４ベルトプーリが同期回動可能に設けられている。第３ベルトプーリと第４ベルトプーリは第２ベルトを介して伝動する。
【００１８】
上記の手段によれば、第３ベルトプーリと第４ベルトプーリが第２ベルトを介して伝動する。第３ベルトプーリのプーリ径は第４ベルトプーリのプーリ径よりも小さいため、減速作用を実現可能である。また、第２モータの位置設計が合理的である。本構造はシンプルであり、伝動が安定的である。
【００１９】
以下に、図面を組み合わせて本考案につき更に述べる。
【図面の簡単な説明】
【００２０】
【図１】図１は、本考案の実施例の全体構造を示す図である。
【図２】図２は、踏み台と支持ベースの組み合わせ構造を示す図である。
【図３】図３は、ベース上の各部材の装着構造を示す図である。
【図４】図４は、第１駆動軸と第１リンクの組み合わせ構造を示す図である。
【図５】図５は、第２駆動軸と第２リンクの組み合わせ構造を示す図である。
【考案を実施するための形態】
【００２１】
図１〜図５に示すように、痩身マッサージ機は、踏み台１、ベース２及び支持軸３を含む。踏み台１は踏み板と踏み板を含む。支持軸３は動作可能にベース２に設置され、踏み台１は支持軸３に固定されるか一体的に設置される。踏み台１はベース２の上方に位置する。支持軸３は、支持ベース４を介してベース２に接続される。支持ベース４は２つ設けられ、且つ支持軸３の両端に位置する。支持軸３の両端は、それぞれ軸受を介して回動可能に支持ベース４に設置される。また、２つの支持ベース４は、それぞれヒンジ軸５を介してベース２にヒンジ接続される。ヒンジ軸５はベース２に固定されるか一体的に設置され、支持ベース４は軸受を介して回動可能にヒンジ軸５に設置される。ベース２には、踏み台１を支持軸３周りに揺動駆動する第１駆動ユニットと、支持ベース４をヒンジ軸５周りに揺動駆動する第２駆動ユニットが設けられている。第１駆動ユニットと第２駆動ユニットは、それぞれ支持軸３の両側に位置する。第１駆動ユニットは第１駆動軸６１と第１リンク６２を含む。第１駆動軸６１は、縦方向に第１軸受ハウジング８１を介して回動可能にベース２に設置される。また、第１リンク６２は立設方向に設置される。第１リンク６２は、一端が第１駆動軸６１にヒンジ接続され、他端が踏み台１にヒンジ接続される。第１駆動軸６１は第１リンク６２を偏心運動させる。また、第２駆動ユニットは第２駆動軸７１と第２リンク７２を含む。第２駆動軸７１は、縦方向に第２軸受ハウジング８２を介して回動可能にベース２に設置される。また、第２リンク７２は横方向に設置される。第２リンク７２は、一端が第２駆動軸７１にヒンジ接続され、他端が踏み台１にヒンジ接続される。第２駆動軸７１は第２リンク７２を偏心運動させる。なお、立設方向とは図３のＡ方向、横方向とは図３のＢ方向、縦方向とは図３のＣ方向である。
【００２２】
本実施例において、第１駆動ユニットは第１モータ６３を更に含む。第１モータ６３はベース２に固設される。第１モータ６３の出力軸は、第１駆動軸６１と周方向に連動するよう接続される。第１駆動軸６１のうち第１リンク６２寄りの一端には第１偏心部６１１が一体的に設けられている。第１偏心部６１１は偏心軸構造をなしているが、言うまでもなく、偏心輪又はカムを動作させる構造としてもよい。第１偏心部６１１は、第１駆動軸６１の本体に対し偏心して設けられる。また、第１偏心部６１１は第１リンク６２にヒンジ接続される。言うまでもなく、第１モータ６３は回転シリンダに置き換えてもよい。
【００２３】
本実施例において、第２駆動ユニットは第２モータ７３を更に含む。第２モータ７３はベース２に固設される。第２モータ７３の出力軸は、第２駆動軸７１と周方向に連動するよう接続される。第２駆動軸７１のうち第２リンク７２寄りの一端には第２偏心部７１１が一体的に設けられている。第２偏心部７１１は偏心軸構造をなしているが、言うまでもなく、偏心輪又はカムを動作させる構造としてもよい。第２偏心部７１１は、第２駆動軸７１の本体に対し偏心して設けられる。また、第２偏心部７１１は第２リンク７２にヒンジ接続される。言うまでもなく、第２モータ７３は回転シリンダに置き換えてもよい。
【００２４】
本実施例において、第１偏心部６１１は第１軸受６４を介して第１リンク６２に接続される。第１軸受６４は第１リンク６２の下端に装着されており、第１偏心部６１１は第１軸受６４内に嵌設される。また、踏み台１には、第１ヒンジ接続ベース１１が固定されるか一体的に設置されており、第１リンク６２が第１シャフトピン６５を介して第１ヒンジ接続ベース１１に接続される。第１シャフトピン６５は第１ヒンジ接続ベース１１に挿設される。また、第１リンク６２の上端には第２軸受６６が装着されており、第２軸受６６が第１シャフトピン６５に覆設される。
【００２５】
本実施例において、第２偏心部７１１は第３軸受７４を介して第２リンク７２に接続される。第３軸受７４は第２リンク７２の下端に装着されており、第２偏心部７１１は第３軸受７４内に嵌設される。また、踏み台１には、第２ヒンジ接続ベース１２が固定されるか一体的に設置されており、第２リンク７２が第２シャフトピン７５を介して第２ヒンジ接続ベース１２に接続される。第２シャフトピン７５は第２ヒンジ接続ベース１２に挿設される。また、第２リンク７２の上端には第４軸受７６が装着されており、第４軸受７６が第２シャフトピン７５に覆設される。
【００２６】
本実施例において、第１モータ６３の出力軸と第１駆動軸６１は互いに平行である。第１モータ６３の出力軸には、第１ベルトプーリ６７が同期回動可能に設けられており、第１駆動軸６１のうち第１ベルトプーリ６７に対応する箇所には、第２ベルトプーリ６８が同期回動可能に設けられている。第１ベルトプーリ６７と第２ベルトプーリ６８は、第１ベルト６９を介して伝動する。
【００２７】
本実施例において、第２モータ７３の出力軸と第２駆動軸７１は互いに平行である。第２モータ７３の出力軸には、第３ベルトプーリ７７が同期回動可能に設けられており、第２駆動軸７１のうち第３ベルトプーリ７７に対応する箇所には、第４ベルトプーリ７８が同期回動可能に設けられている。第３ベルトプーリ７７と第４ベルトプーリ７８は、第２ベルト７９を介して伝動する。
【００２８】
以上の実施例は、本考案の好ましい具体的実施例の一つにすぎずない。当業者が本考案の技術手段の範囲で行う通常の変形及び置き換えは、いずれも本考案による保護の範囲に含まれる。
【図１】
0003226649.tif 000003
【図２】
0003226649.tif 000004
【図３】
0003226649.tif 000005
【図４】
0003226649.tif 000006
【図５】
0003226649.tif 000007